(57)【要約】【課題】      複数の釣り具を運搬する場合に荷崩れしないよう載せて運搬できるようにした釣り用カートを提供すること。【解決手段】  主フレーム２とこの主フレーム２から後方へ突出する上下一対の荷台フレームである下方荷台フレーム３、上方荷台フレーム４を有し、これら荷台フレームは、主フレーム２に回動自在に軸部６で枢着され、この枢着部で回動して後方へ突出した展開状態から主フレーム２に沿って倒伏させた折り畳み状態とすることが可能である釣り用カート。  前記上下一対の荷台フレームは、下方荷台フレーム３の方が上方荷台フレーム４より後方へ突出している。【選択図】        図１
2005047414.tif 000002
【特許請求の範囲】
【請求項１】
主フレームと該主フレームから後方へ突出する上下一対の荷台フレームを有し、該荷台フレームは、主フレームに回動自在に枢着され折り畳み可能であることを特徴とする釣り用カート。
【請求項２】
前記上下一対の荷台フレームは、下方の荷台フレームの方が上方の荷台フレームより後方へ突出していることを特徴とする請求項１記載の釣り用カート。
【発明の詳細な説明】
【技術分野】
【０００１】
本発明は、上下一対の荷台フレームを有する釣り用カートに関する。
【背景技術】
【０００２】
従来の釣り用カートは、特許文献１の釣り用椅子兼用運搬具のように釣りをするときの椅子とアイスボックス等の釣り具の運搬具を兼用して使えるものが提案されている。
しかし、このような釣り用カートは、荷台が１つしかないため荷台に載せたクーラーボックスの上に他の釣り具を重ねて積み上げた状態で紐で縛って固定しなければならず、運搬中に荷崩れを起こすことがあった。
【０００３】
【特許文献１】実開昭６２−６８５７３号
【発明の開示】
【発明が解決しようとする課題】
【０００４】
解決しようとする問題点は、荷台が１つしかないため荷台に重ねて積み上げた釣り具が運搬中に荷崩れを起こすことことである。
【０００５】
本発明の目的は前記欠点に鑑み、複数の釣り具を運搬する場合に荷崩れしないよう載せて運搬できるようにした釣り用カートを提供することである。
【課題を解決するための手段】
【０００６】
本発明の請求項１は、主フレームと該主フレームから後方へ突出する上下一対の荷台フレームを有し、該荷台フレームは、主フレームに回動自在に枢着され折り畳み可能であることを要旨とするものである。
本発明の請求項２は、前記上下一対の荷台フレームは、下方の荷台フレームの方が上方の荷台フレームより後方へ突出していることを要旨とするものである。
【発明の効果】
【０００７】
請求項１の本発明により、複数の釣り具を上下一対の荷台フレームに分けて載せることができるため運搬中の荷崩れが防止される。
また、上下一対の荷台フレームが折り畳めるため、容易に収納できる。
請求項２の本発明により、上下一対の荷台フレームに釣り具を載せても、下方の荷台フレームの方が上方の荷台フレームより後方へ突出しているため、下方の荷台フレームに大きな荷物を載せることができて運搬中のバランスが取りやすくなり、釣り用カートの転倒が防止できる。
【発明を実施するための最良の形態】
【０００８】
主フレーム２と該主フレーム２から後方へ突出する上下一対の下方荷台フレーム３、上方荷台フレーム４を有し、該荷台フレーム３、４は、主フレーム２に回動自在に軸部６で枢着され主フレーム２に沿って折り畳み可能である釣り用カート。
前記上下一対の荷台フレームは、下方荷台フレーム３の方が上方荷台フレーム４より後方へ突出している。
【実施例１】
【０００９】
以下、図示の実施例によって本発明を説明すると、図１は釣り用カートの全体図、図２は下方荷台フレームの主フレームへの取り付け部の拡大側面図、図３は下方荷台フレームの主フレームへの取り付け部分拡大斜視図、図４は釣り用カートの側面図である。
【００１０】
図１において釣り用カート１は、フレームが金属製のパイプ材で形成されており、四辺形状に形成され、釣り用カート１を引く時のハンドル部２ｃを有する主フレーム２と、この主フレーム２によって支持され、釣り具等の荷物を載置するための下方荷台フレーム３、上方荷台フレーム４を有している。
【００１１】
主フレーム２は、パイプ材をコ字状に折曲して形成して上下方向に延びる左右一対の縦フレーム２ａ、２ｂとその上端部を左右に結ぶハンドル部２ｃを有し、さらに、左右一対の縦フレーム２ａ、２ｂの中間部及び下端部を左右に連結する支持部２ｅ、２ｅが取り付けられて、補強され主フレーム２の変形が防止されている。
【００１２】
さらに、主フレーム２のハンドル部２ｃには、その両端部それぞれに、縦フレーム２ａ、２ｂに変移する折曲部にかかるように主フレーム２を構成するパイプ材よりも柔軟性を有する材料から成る一対のカバー体２ｄ、２ｄが設けられ、このカバー体２ｄを握持すると手が痛まずに釣り用カート１を引くことができる。
しかも、カバー体２ｄ、２ｄは、ハンドル部２ｃの両端部それぞれに設けているため、いずれか一方のカバー体２ｄを握持して身体を釣り用カート１からずらせて引くことで釣り用カート１が足等に接触しにくくなり安全に引くことができる。
また、２人でそれぞれのカバー体２ｄを握持して釣り用カート１を引くことができ、釣り具の運搬が容易にできる。
【００１３】
主フレーム２の縦フレーム２ａ、２ｂの下端部には、それぞれ回転自在に軸着した車輪８が設けられており、ハンドル部２ｃを握持し、釣り用カート１を傾けて容易に引くことができる。
また、支持部２ｅ、２ｅ間に架設してショルダーベルト９が設けられ、このショルダーベルト９で釣り用カート１に荷物を載せて背負うことができる。
【００１４】
主フレーム２には、その上下にそれぞれ釣り具等の荷物を載置するための下方荷台フレーム３、上方荷台フレーム４が主フレーム２に枢着され、これらを回動して、主フレーム２に沿って図１に二点鎖線で示したように倒伏した折り畳み状態と主フレーム２から突出した展開状態にすることができる。
下方荷台フレーム３は、主フレーム２の下端部に取り付けられ、上方荷台フレーム４は、下方荷台フレーム３より上方で主フレーム２の上下高さの中央部に取り付けられる。
この下方荷台フレーム３、上方荷台フレーム４は、コ字状に折曲し、図２、３のようにその両端部にリベット等の留め具５ａで固定した取り付け部を介してそれぞれ主フレーム２の縦フレーム２ａ、２ｂに回動可能に枢着されている。
【００１５】
取り付け部５は、軸部６で主フレーム２の縦フレーム２ａ、２ｂに回動自在に支持され、縦フレーム２ａ、２ｂが略垂直になるように釣り用カート１を立てて置いた時、下方荷台フレーム３、上方荷台フレーム４が主フレーム２から後方に略直角（地面に対し略水平）に突出した展開状態で主フレーム２に当接する当たり部を有し回動が規制される。
【００１６】
さらに、縦フレーム２ａ、２ｂと取り付け部５には、この下方荷台フレーム３、上方荷台フレーム４の展開状態で重合する孔７（主フレーム１の孔７ａ及び取り付け部５の孔７ｂ）を有し、この重合状態において孔７にストッパ部材のピン１０を挿通することで主フレーム２に沿って倒伏させる折り畳み方向の回動も規制され倒伏及び展開のいずれの方向にも回動せず、不用意な下方荷台フレーム３、上方荷台フレーム４の回動が防止される。
このピン１０は、紐１０ａで主フレーム２に脱落しないように取り付けられている。
なお、下方荷台フレーム３は下方に突出する脚３ｃを有し、車輪８と脚３ｃを接地させると釣り用カート１を立てて置くことができる。
【００１７】
下方荷台フレーム３は、展開状態において上方荷台フレーム４より後方へ突出しているため、図４のように下方荷台フレーム３にアイスボックス等の大きな荷物Ａを載置でき、上方荷台フレーム４にはバケツやタックルボックス等の小さい荷物Ｂを載置でき、このように上下の荷台フレームに分けて荷物を積むことで、釣り用カート１のバランスが取れて釣り用カート１の転倒が防止される。
下方荷台フレーム３及び上方荷台フレーム４は、それぞれ強度を向上させるためコ字状のフレーム間に架設した支持部３ａ、４ａを有している。
【００１８】
釣り用カート１を使用しない時は、図１、図２のように下方荷台フレーム３及び上方荷台フレーム４を矢印方向の上方に折り畳んで主フレーム２に沿うようにすればコンパクトにできて容易に収納することができる。
この時、面ファスナ１１ａを有するバンド１１を巻き付けて下方荷台フレーム３及び上方荷台フレーム４を主フレーム２に添設して保持することができる。
また、下方荷台フレーム３及び上方荷台フレーム４はそれぞれ回動して展開できるため、いずれか一方のみを展開して荷物を載せることもできる。
【産業上の利用可能性】
【００１９】
なお、上記では釣り用カートとして説明したが、一般の荷物運搬用のカートとしても同様に使用できる。
【図面の簡単な説明】
【００２０】
【図１】図１は、釣り用カートの全体図である。
【図２】図２は下方荷台フレームの主フレームへの取り付け部の拡大側面図である。
【図３】図３は下方荷台フレームの主フレームへの取り付け部分拡大斜視図である。
【図４】図４は釣り用カートの側面図である。
【符号の説明】
【００２１】
１  釣り用カート
２  主フレーム
３  下方荷台フレーム
４  上方荷台フレーム
５  取り付け部
６  軸部
【図１】
2005047414.tif 000003
【図２】
2005047414.tif 000004
【図３】
2005047414.tif 000005
【図４】
2005047414.tif 000006